【手続補正書】
【提出日】平成30年8月31日(2018.8.31)
【手続補正１】
【補正対象書類名】明細書
【補正対象項目名】０００６
【補正方法】変更
【補正の内容】
【０００６】
[0007]本発明の他の形態は、地球の大気中へＶＯＣを流出させるタイプの基準被覆操作と比べて地球の大気中への揮発性有機化合物（ＶＯＣ）の放出を減少させる結果として、ＶＯＣ税の控除を得る方法を提供する。好ましい態様においては、この形態による方法は、
（ａ）既存の被覆組成物で基材を被覆することを含む既存の操作からのＶＯＣの基準放出量を定め；
（ｂ）（ｉ）（１）ヒドロフルオロエチレン、ヒドロフルオロプロペン、ヒドロフルオロブテン、ヒドロフルオロペンテン、及びこれらの組合せからなる群から選択され、好ましくは２，３，３，３−テトラフルオロプロペン、１，３，３，３−テトラフルオロプロペン、及びこれらの組合せから選択される１種類以上のヒドロフルオロオレフィンモノマー、（２）１種類以上のビニルエステルモノマー、及び（３）１種類以上のビニルエーテルモノマー（ここで、ビニルエーテルモノマーの少なくとも一部はヒドロキシル基含有ビニルエーテルモノマーである）の共重合によって１種類以上のフルオロコポリマーを与え；そして
（ｉｉ）１種類以上のフルオロコポリマーのための１種類以上のＶＯＣ化合物を含むキャリアを与え；そして
（ｉｉｉ）１種類以上のフルオロポリマーをキャリアと混合して、約３０重量％以下のキャリアを含み、好ましくは少なくとも約７０重量％の固形分含量を有するポリマー組成物を生成させる；ことを含む工程によって形成される減少したＶＯＣの被覆組成物を与え；
（ｃ）減少したＶＯＣの被覆組成物で基材を被覆し；そして
（ｄ）キャリア中のＶＯＣの少なくとも相当部分を地球の大気中に蒸発させることによって、基材上に保護ポリマー層を形成して、それによって保護被覆を形成し、それによって減少したＶＯＣの被覆組成物を用いて放出されるＶＯＣをＶＯＣの基準放出量と比べて減少させ；そして
（ｅ）被覆操作から放出されるＶＯＣの減少に少なくとも部分的に基づいて税金控除の要求を適当な政府機関に提出する；
工程を含む。
【手続補正２】
【補正対象書類名】明細書
【補正対象項目名】００１６
【補正方法】変更
【補正の内容】
【００１６】
[0017]本発明の好ましい態様によれば、コポリマー形成工程（ｂ）（ｉ）は、
（１）好ましくは約４０モル％〜約６０モル％、より好ましくは約４５モル％〜約５５モル％の量の、ＨＦＯ−１２３４ｚｅ及び／又はＨＦＯ−１２３４ｙｆから実質的に構成される１種類又は複数の第１のモノマー；
（２）（Ａ）好ましくは約５モル％〜〜約４５モル％、より好ましくは約１０モル％〜約３０モル％、更により好ましくは約１０モル％〜約２０モル％の量の、式：ＣＨ２＝ＣＲ１−Ｏ（Ｃ＝Ｏ）ｘＲ２（式中、ｘは１であり、Ｒ１は水素又はメチル基のいずれかであり、Ｒ２は、５〜１２個の炭素原子を有する置換又は非置換の直鎖又は分岐鎖アルキル基からなる群から選択され、アルキル基は少なくとも１つの第３級又は第４級炭素原子を含む）によって表される１種類又は複数のビニルエステルモノマー；及び
（Ｂ）好ましくは約１０モル％〜約４０モル％、より好ましくは約５モル％〜約４５モル％、より好ましくは約１０モル％〜約３０モル％、更により好ましくは約１０モル％〜約２０モル％のビニルエーテルの量の、それぞれ式：ＣＨ２＝ＣＲ３−ＯＲ４（式中、Ｒ３は、独立して、水素又はメチル基のいずれかであり、Ｒ４は、独立して、１〜５個の炭素原子を有する置換又は非置換の直鎖又は分岐鎖アルキル基からなる群から選択される）によって表される１種類又は複数のビニルエーテルモノマー；を含む１種類又は複数の第２のモノマー；並びに
（３）約３モル％〜約６０モル％のヒドロキシビニルエーテルモノマーの量、好ましくは約３モル％〜約３０モル％、より好ましくは約３モル％〜約２０モル％、更により好ましくは約３モル％〜約１０モル％の量の、式：ＣＨ２＝Ｃ−Ｒ５−ＯＨ（式中、Ｒ５はＣ２〜Ｃ６の置換又は非置換の直鎖又は分岐鎖アルキル基からなる群から選択される）によって表される１種類又は複数のヒドロキシル基含有ビニルエーテルモノマーから選択される１種類又は複数の第３のモノマー；
の共重合によって１種類以上のフルオロコポリマーを与えることを含み、ここで、モル％はコポリマー形成工程におけるモノマーの全量を基準とする。
【手続補正３】
【補正対象書類名】明細書
【補正対象項目名】００３３
【補正方法】変更
【補正の内容】
【００３３】
[0032]好ましい態様においては、フルオロコポリマー形成工程（ｂ）（ｉ）にしたがうコモノマーは、
（１）好ましくは約４０モル％〜約６０モル％、更により好ましくは約４５モル％〜約５５モル％、更により好ましくは約５０モル％の量のＨＦＯ−１２３４ｚｅから実質的に構成される第１のモノマー；
（２）（Ａ）式：ＣＨ２＝ＣＲ１−Ｏ（Ｃ＝Ｏ）ｘＲ２（式中、ｘは１であり、Ｒ１は水素又はメチル基のいずれか、好ましくは水素であり、Ｒ２は６〜８個の炭素原子を有する非置換の分岐鎖アルキル基であり、かかるアルキル基は好ましくは少なくとも１つの第３級又は第４級炭素原子を含む）によって表されるビニルエステルモノマー（ビニルエステルモノマーは、約５モル％〜約４５モル％、より好ましくは約１０モル％〜約３０モル％、更により好ましくは約１０モル％〜約２０モル％の量で存在する）；及び
（Ｂ）それぞれ式：ＣＨ２＝ＣＲ３−ＯＲ４（式中、Ｒ３は、独立して水素又はメチル基のいずれか、好ましくは水素であり、Ｒ４は、１〜３個の炭素原子、好ましくは２個の炭素原子を有する、置換又は非置換で直鎖又は分岐鎖、好ましくは直鎖のアルキル基からなる群から選択される）によって表される１種類又は複数のビニルエーテルモノマー（１種類又は複数のビニルエーテルモノマーは、好ましくは、約１０モル％〜約４０モル％、より好ましくは約５モル％〜約４５モル％、より好ましくは約１０モル％〜約３０モル％、更により好ましくは約１０モル％〜約２０モル％の量で存在する）；を含む１種類又は複数の第２のモノマー；並びに
（３）式：ＣＨ２＝ＣＲ３−Ｏ−Ｒ５−ＯＨ（式中、Ｒ３はメチル又は水素、好ましくは水素であり、Ｒ５は、Ｃ３〜Ｃ５、好ましくはＣ４の非置換直鎖アルキル基からなる群から選択される）によって表されるヒドロキシアルキルビニルエーテルから構成される１種類又は複数の第３のモノマー（第３のモノマーの量は、好ましくは約３モル％〜約３０モル％の量で存在する）；
を含み、好ましくはこれらから実質的に構成される。
【手続補正４】
【補正対象書類名】明細書
【補正対象項目名】００３９
【補正方法】変更
【補正の内容】
【００３９】
[0038]好ましい態様においては、フルオロコポリマー被覆組成物の形成は、
（ｉ）（１）好ましくは約４０モル％〜約６０モル％、更により好ましくは約４５モル％〜約５５モル％、更により好ましくは約５０モル％の量の、ＨＦＯ−１２３４ｚｅから実質的に構成される第１のモノマー；
（２）（Ａ）式：ＣＨ２＝ＣＲ１−Ｏ（Ｃ＝Ｏ）ｘＲ２（式中、ｘは１であり、Ｒ１は水素又はメチル基のいずれか、好ましくは水素であり、Ｒ２は６〜８個の炭素原子を有する非置換の分岐鎖アルキル基であり、かかるアルキル基は好ましくは少なくとも１つの第３級又は第４級炭素原子を含む）によって表されるビニルエステルモノマー（ビニルエステルモノマーは、約５モル％〜約４５モル％、より好ましくは約１０モル％〜約３０モル％、更により好ましくは約１０モル％〜約２０モル％の量で存在する）；及び
（Ｂ）式：ＣＨ２＝ＣＲ３−ＯＲ４（式中、Ｒ３は、水素又はメチル基のいずれか、好ましくは水素であり、Ｒ４は、１〜３個の炭素原子、好ましくは２個の炭素原子を有する、置換又は非置換で直鎖又は分岐鎖、好ましくは直鎖のアルキル基からなる群から選択される）によって表される１種類又は複数のビニルエーテルモノマー（１種類又は複数のビニルエーテルモノマーは、好ましくは、約１０モル％〜約４０モル％、より好ましくは約５モル％〜約４５モル％、より好ましくは約１０モル％〜約３０モル％、更により好ましくは約１０モル％〜約２０モル％の量で存在する）；を含む１種類又は複数の第２のモノマー；並びに
（３）式：ＣＨ２＝ＣＲ３−Ｏ−Ｒ５−ＯＨ（式中、Ｒ３はメチル又は水素、好ましくは水素であり、Ｒ５は、Ｃ３〜Ｃ５、好ましくはＣ４の非置換直鎖アルキル基からなる群から選択される）によって表されるヒドロキシアルキルビニルエーテルから構成される１種類又は複数の第３のモノマー（第３のモノマーの量は、好ましくは約３モル％〜約３０モル％である）；
の共重合によって１種類以上のフルオロコポリマーを与え；そして
（ｉｉ）１種類以上のＶＯＣ化合物を含み、好ましくはキシレン及びトルエンのような芳香族炭化水素；ｎ−ブタノールのようなアルコール；酢酸ブチルのようなエステル；メチルイソブチルケトンのようなケトン、及びエチルセロソルブのようなグリコールエーテルから選択され（Ｃ２〜Ｃ５アルキルアセテートが好ましい）、更により好ましくは酢酸ブチルを含むか、これから実質的に構成されるか、又はこれから構成される、１種類以上のフルオロコポリマーのためのキャリアを与え；そして
（ｉｉｉ）１種類以上のフルオロコポリマーをキャリアと混合して、約３０重量％以下のキャリアを含み、好ましくは少なくとも約７０重量％の固形分含量を有するポリマー組成物を生成させる；
ことを含み、好ましくはこれから実質的に構成される。好ましい態様によれば、本発明のフルオロコポリマー組成物、特に従前のセンテンスで記載したようにして形成されるフルオロコポリマーは、Skoog, D.A. Principles of Instrumental Analysis, 6版; Thompson Brooks/Cole: Belmont, California, 2006, 28章（参照として本明細書中に包含する）に記載されている方法にしたがってゲル相クロマトグラフィー（ＧＰＣ）によって測定して約５０００〜５００００、より好ましくは約７０００〜約１５０００のポリマー数平均分子量を有し、約７０重量％〜約９０重量％、更により好ましくは約７０重量％〜約８５重量％の固形分含量、及び好ましくは約４００ｇ／Ｌ未満、より好ましくは約４００ｇ／Ｌ〜約１００ｇ／Ｌ、更により好ましくは約３５０ｇ／Ｌ〜約２００ｇ／ＬのＶＯＣ含量を有する。また、概して本出願において、特にこの段落において記載されている態様においては、本発明の被覆組成物は、好ましくは必要に応じてＡＳＴＭ−Ｄ１２００−１０（２０１４）又はＡＳＴＭ−Ｄ２１９６にしたがって測定して、１２毎分回転数（ｒ／ｍ）、３０ｒ／ｍ、及び６０ｒ／ｍの少なくとも１つにおいて、好ましくは３つの速度全部においてFord Cupによって測定して約１９００ｍＰａ・秒未満、より好ましくは約１８００ｍＰａ・秒未満、更により好ましくは約１７００ｍＰａ・秒未満の２５℃における粘度を有する。